(57)【要約】【課題】高電圧電線や低電圧電線を配線する際や交換する際の作業効率を向上させることが可能な端子台を提供する。【解決手段】端子台４０は、高電圧を供給するために使用される２つの高電圧電線３０を電気的に接続する高電圧端子部６０と、低電圧を供給するために使用される２つの低電圧電線３１を電気的に接続する低電圧端子部７０と、高電圧端子部６０と低電圧端子部７０とが並設される基台５０とを有している。基台５０は、高電圧電線３０が供給する高電圧によって絶縁破壊を生じない材料から構成されている。【選択図】図２
2011070935.tif 000002
【特許請求の範囲】
【請求項１】
高電圧を供給するために使用される高電圧電線同士を電気的に接続する高電圧端子部と、
低電圧を供給するために使用される低電圧電線同士を電気的に接続する低電圧端子部と、
前記高電圧端子部と前記低電圧端子部とが並設される基台とを有し、
前記基台は、前記高電圧電線が供給する高電圧によって絶縁破壊を生じない材料から構成されることを特徴とする端子台。
【請求項２】
前記基台は、樹脂から構成されることを特徴とする請求項１に記載の端子台。
【請求項３】
前記高電圧端子部及び低電圧端子部は、金属製の導電板と、該導電板の両端に形成される螺旋孔にねじ込まれる螺旋とを備え、
前記高電圧端子部の螺旋を、それぞれ前記高電圧電線の端子孔に挿通させて、前記高電圧端子部の螺旋孔にねじ込むことにより、前記高電圧端子部の導電板を介して２つの前記高電圧電線が電気的に接続され、
前記低電圧端子部の螺旋を、それぞれ前記低電圧電線の端子孔に挿通させて、前記低電圧端子部の螺旋孔にねじ込むことにより、前記低電圧端子部の導電板を介して２つの前記低電圧電線が電気的に接続されることを特徴とする請求項１又は２に記載の端子台。
【請求項４】
前記基台は、板状の台座部と、該台座部上に間隔をあけて略平行に立設される複数の仕切部と、隣り合う２つの前記仕切部に架設された抑え部とが一体に形成されており、隣り合う２つの仕切部によって囲まれる部分では、前記抑え部の下面と前記台座部の上面との間に、前記抑え部を境とする一方側から他方側に貫通した開口が形成され、
前記高電圧端子部及び低電圧端子部は、前記導電板の中央が開口に挿通されることで、前記導電板が、２つの前記仕切部によって左右両側から挟み込まれるとともに、前記抑え部によって下方に抑えつけられることを特徴とする請求項３に記載の端子台。
【請求項５】
請求項１乃至４のいずれか１項に記載の端子台と、
前記高電圧端子部により電気的に接続される前記高電圧電線を通じて電圧が印加されるキセノンランプとを備えることを特徴とする照明器具。
【発明の詳細な説明】
【技術分野】
【０００１】
本発明は、高電圧電線や低電圧電線を配線する際や交換する際の作業効率を向上させることが可能な端子台、及びこれを備えた照明器具に関する。
【背景技術】
【０００２】
飛行場には、航空機を滑走路に誘導するための航空誘導灯が配置されており、この航空誘導灯としてキセノンランプを用いたものが知られている。この種の航空誘導灯は、キセノンランプに印加される電圧がＤＣ２０００Ｖ程度の高電圧であることから、例えば図７に示すように、上記の高電圧を供給可能な高電圧電線３０と、高電圧電線３０の配線に使用される高電圧端子台１００とを備えている。図７に示す２つの高電圧電線３０は、装置Ｓ１で発生された高電圧をキセノンランプＰに供給するために使用され、高電圧端子台１００は、これら２つの高電圧電線３０を電気的に接続している。また、図７に示す３１は、ＡＣ２００Ｖ程度の低電圧が供給可能な低電圧電線であり、低電圧電線３１は、その両端が、航空誘導灯に設置される他の装置Ｓ２の端子に接続されている。
【０００３】
また、特許文献１には、電源線が接続される高電圧端子台と、調光信号線が接続される低電圧端子台とを備えた照明器具が開示されている。高電圧端子台と低電圧端子台とはわずかな隙間をもって並設されており、この隙間を介して、高電圧端子台の電線挿入口と低電圧端子台の電線挿入口とが相対している。
【先行技術文献】
【特許文献】
【０００４】
【特許文献１】特開２００８−２７７１３２号公報
【発明の概要】
【発明が解決しようとする課題】
【０００５】
ところで図７に示す例では、高電圧端子台１００に接続された高電圧電線３０と、高電圧端子台１００への接続のない低電圧電線３１とは、束ねられることなく別々に配線されている。このため、高電圧電線３０や低電圧電線３１の配線や取り外しに手間を要する。
【０００６】
また特許文献１では、高電圧端子台と低電圧端子台とが別個独立して設けられて、これら端子台の電線挿入口がわずかな隙間を介して相対しているため、一方の端子台の電線挿入口から他方の端子台側へ延び出る電線は、他方の端子台を迂回するように折り曲げて配線されている。このため、高電圧端子台や低電圧端子台への電線の接続に手間を要する。
【０００７】
本発明は、こうした状況に鑑みてなされたものであり、高電圧電線や低電圧電線を配線する際や交換する際の作業効率を向上させることが可能な端子台、及びこれを備えた照明器具を提供することを目的とする。
【課題を解決するための手段】
【０００８】
上記目的を達成するため、本発明の第１の観点に係る端子台は、高電圧を供給するために使用される高電圧電線同士を電気的に接続する高電圧端子部と、低電圧を供給するために使用される低電圧電線同士を電気的に接続する低電圧端子部と、前記高電圧端子部と前記低電圧端子部とが並設される基台とを有し、前記基台は、前記高電圧電線が供給する高電圧によって絶縁破壊を生じない材料から構成されることを特徴とする。
【０００９】
また、本発明の第２の観点に係る照明器具は、前記端子台と、前記高電圧端子部により電気的に接続される前記高電圧電線を通じて電圧が印加されるキセノンランプとを備えることを特徴とする。
【発明の効果】
【００１０】
本発明によれば、基台が、高電圧電線が供給する高電圧によって絶縁破壊が生じない耐電圧特性を有していることから、端子台に接続された高電圧電線及び低電圧電線を通じて他機器に電圧を安定して供給することができる。そして、高電圧端子部と低電圧端子部とが基台上に並設されていることから、高電圧端子部や低電圧端子部に接続された高電圧電線や低電圧電線は、端子台の周囲に束ねられる。このため、高電圧電線や低電圧電線を配線する際や交換する際の作業効率を向上させることができる。
【図面の簡単な説明】
【００１１】
【図１】本発明の実施の形態に係る照明器具の構成を示す回路図である。
【図２】本発明の実施の形態における端子台の斜視図である。
【図３】図２のＡ−Ａ線断面図である。
【図４】図２のＢ−Ｂ線断面図である。
【図５】図２のＣ−Ｃ線断面図である。
【図６】本発明の実施の形態における端子台に高電圧電線及び低電圧電線が接続された状態を示す概略図である。
【図７】従来の端子台を備える照明器具に高電圧電線と低電圧電線とが配線された状態を示す概略図である。
【発明を実施するための形態】
【００１２】
以下、本発明の実施の形態を、図を参照しながら詳細に説明する。図１に構成を示す照明器具１は、例えば航空誘導灯に使用されるものであって、１０はＡＣ２００Ｖの交流電源、１１は交流電源１０にスイッチ１２を介して接続され、交流電源１０が発生した電圧を昇圧して二次側に２０００Ｖの高電圧を出力する電源トランスである。また、１３，１４は電源トランス１１によって昇圧された電圧を直流に変換する整流器、１５は抵抗１６を介して整流器１３，１４に接続された点灯用コンデンサーであり、点灯用コンデンサー１５の両端にキセノンランプＰが接続されている。また、１８はキセノンランプＰを放電始動させるトリガ−トランス、１９はトリガ−トランス１８にスイッチ２０を介して接続されたトリガ−用コンデンサー、２１，２２は点灯用コンデンサー１５の両端に生じる電圧を分圧してトリガ−用コンデンサー１９に供給する分圧抵抗である。
【００１３】
上記構成を有する照明器具１は、スイッチ１２がＯＮされると、電源トランス１１の二次側に２０００Ｖの高電圧が生じて、点灯用コンデンサー１５が充電される。この結果、点灯用コンデンサー１５からキセノンランプＰにＤＣ２０００Ｖの高電圧が印加される。この際には、トリガ−用コンデンサー１９には分圧抵抗２１，２２により分圧された電圧が印加されて充電されており、スイッチ２０がＯＮされることにより、トリガ−用コンデンサー１９に充電された電荷がトリガ−トランス１８に流れる。この結果、キセノンランプＰに放電が生じて、キセノンランプＰは点灯する。
【００１４】
図１に示す照明器具１では、点灯用コンデンサー１５からキセノンランプＰにＤＣ２０００Ｖの高電圧を供給するために高電圧電線３０が使用されており、また、交流電源１０から電源トランス１１にＡＣ２００Ｖの低電圧を供給するために低電圧電線３１が使用されている。高電圧電線３０と低電圧電線３１とは、図２〜４に示す端子台４０が使用されて配線される。
【００１５】
端子台４０は、基台５０と、１つの高電圧端子部６０と、２つの低電圧端子部７０とを備えており、高電圧端子部６０及び低電圧端子部７０は基台５０上に設けられる。
【００１６】
基台５０は、高電圧電線３０により供給される高電圧によって絶縁破壊が生じない耐電圧特性を有する樹脂から構成されたものであって、板状の台座部５１と、台座部５１上に間隔をあけて略平行に立設される４つの仕切部５２と、隣り合う２つの仕切部５２に架設された抑え部５３とが一体に形成されている。隣り合う２つの仕切部５２によって囲まれる部分Ｄ，Ｅ，Ｆでは、図３，５に示すように、抑え部５３下面と台座部５１上面との間に、開口５４が形成されている。
【００１７】
高電圧端子部６０は、金属製の導電板６１と、２つの螺旋６３とを備えおり、図３に示すように、螺旋６３は、導電板６１の両端に形成された螺旋孔６２にねじ込まれる。図３，５に示すように、導電板６１は、部分Ｄに形成された開口５４に挿通されている。これにより、導電板６１は、２つの仕切部５２によって左右両側から挟み込まれるとともに、部分Ｄに形成された抑え部５３によって下方に抑えつけられている。また、螺旋孔６２は、図３に示すように、抑え部５３を境とする一方側と他方側とに配置されている。
【００１８】
２つの低電圧端子部７０は、高電圧端子部６０と同様の構成を有するものであって、金属製の導電板７１と、２つの螺旋７３とをそれぞれ備えており、螺旋７３は、導電板７１の両端に形成された螺旋孔７２にねじ込まれる（図４参照）。２つの低電圧端子部７０は、図５に示すように、これらの導電板７１が部分Ｅ，Ｆに形成された開口５４に挿通されている。これにより、導電板７１は、２つの仕切部５２によって左右両側から挟み込まれるとともに、部分Ｅ，Ｆに形成された抑え部５３によって下方に抑えつけられている。また、螺旋孔７２（図４参照）は、高電圧端子部６０の螺旋孔６２と同様に、抑え部５３（図２参照）を境とする一方側と他方側とに配置されている。
【００１９】
そして、上述のように導電板６１，７１が部分Ｄ，Ｅ，Ｆの開口５４に挿通されていることで、高電圧端子部６０と低電圧端子部７０とは、高電圧端子部６０を端（図２において左端）にして基台５０の台座部５１上に並設されており、仕切部５２は、隣り合う高電圧端子部６０と低電圧端子部７０とを分離し、また隣り合う２つの低電圧端子部７０を分離している。
【００２０】
以上の構成を有する端子台４０では、図３，４に示すように、高電圧端子部６０の２つの螺旋６３を、それぞれ高電圧電線３０の端子孔３３に挿通させて、螺旋孔６２にねじ込むことにより、導電板６１を介して２つの高電圧電線３０が電気的に接続される。
【００２１】
また低電圧端子部７０では、２つの螺旋７３を、それぞれ低電圧電線３１の端子孔３４に挿通させて（図４参照）、螺旋孔７２にねじ込むことにより、導電板７１を介して２つの低電圧電線３１が電気的に接続される。
【００２２】
図６には、端子台４０が使用されて、高電圧電線３０や低電圧電線３１が配線された状況が示されている。
【００２３】
図５において、高電圧電線３０Ａの一端は、点灯用コンデンサー１５を備える装置Ｓ３の端子に接続され、高電圧電線３０Ａの他端は、高電圧端子部６０の導電板６１の一端に接続されている。また、高電圧電線３０Ｂの一端は、導電板６１の他端に接続され、高電圧電線３０Ｂの他端は、キセノンランプＰのソケットに接続されている。以上の接続により、高電圧電線３０Ａ，３０Ｂを通じて、点灯用コンデンサー１５からキセノンランプＰへＤＣ２０００Vの高電圧を供給することができる。
【００２４】
また、低電圧電線３１Ａの一端は、交流電源１０を備える装置Ｓ４の端子に接続され、低電圧電線３１Ａの他端は、低電圧端子部７０の導電板７１の一端に接続されている。また、低電圧電線３１Ｂの一端は、導電板７１の他に接続され、低電圧電線３１Ｂの他端は、電源トランス１１を備える装置Ｓ５の端子に接続されている。以上の接続により、低電圧電線３１Ａ，３１Ｂを通じて、交流電源１０から電源トランス１１へＡＣ２００Vの低電圧を供給することができる。
【００２５】
本実施の形態における端子台４０によれば、基台５０が、高電圧電線３０によって供給される高電圧によって絶縁破壊が生じない耐電圧特性を有していることから、端子台４０に接続された高電圧電線３０及び低電圧電線３１を通じて他機器へ電圧が安定して供給される。そして、高電圧端子部６０と低電圧端子部７０とが基台５０上に並設されていることから、高電圧端子部６０や低電圧端子部７０に接続された高電圧電線３０や低電圧電線３１は、端子台４０の周囲に束ねられる。このため、高電圧電線３０や低電圧電線３１を配線する際や交換する際の作業効率を向上させることができる。
【００２６】
高電圧端子部６０及び低電圧端子部７０の導電板６１，７１が、２つの仕切部５２によって左右両側から挟み込まれるとともに、抑え部５３によって下方に抑えつけられていることで、高電圧電線３０や低電圧電線３１を配線する際や交換する際に、導電板６１，７１に位置ずれが生じることを防止することができる。
【００２７】
本発明は、上述の実施の形態に限定されず、特許請求の範囲において種々改変することができる。
【００２８】
例えば、基台５０上に配置される高電圧端子部６０や低電圧端子部７０の数は、１以上の任意の数に設定され、また、仕切部５２や抑え部５３の数も、高電圧端子部６０や低電圧端子部７０の数に応じて任意に設置される。
【００２９】
また、基台５０上への高電圧端子部６０及び低電圧端子部７０の配置順序も任意に設定可能であり、例えば、２つの低電圧端子部７０の間に高電圧端子部６０が配置されたり、或いは、２つの高電圧端子部６０の間に低電圧端子部７０が配置されてもよい。
【００３０】
その他、本発明の好適な変形として、以下の構成が含まれる。
【００３１】
本発明の第１の観点に係る端子台について、好ましくは、前記基台は、樹脂から構成されることを特徴とする。
【００３２】
また好ましくは、前記高電圧端子部及び低電圧端子部は、金属製の導電板と、該導電板の両端に形成される螺旋孔にねじ込まれる螺旋とを備え、前記高電圧端子部の螺旋を、それぞれ前記高電圧電線の端子孔に挿通させて、前記高電圧端子部の螺旋孔にねじ込むことにより、前記高電圧端子部の導電板を介して２つの前記高電圧電線が電気的に接続され、前記低電圧端子部の螺旋を、それぞれ前記低電圧電線の端子孔に挿通させて、前記低電圧端子部の螺旋孔にねじ込むことにより、前記低電圧端子部の導電板を介して２つの前記低電圧電線が電気的に接続されることを特徴とする。
【００３３】
また好ましくは、前記基台は、板状の台座部と、該台座部上に間隔をあけて略平行に立設される複数の仕切部と、隣り合う２つの前記仕切部に架設された抑え部とが一体に形成されており、隣り合う２つの仕切部によって囲まれる部分では、前記抑え部の下面と前記台座部の上面との間に、前記抑え部を境とする一方側から他方側に貫通した開口が形成され、前記高電圧端子部及び低電圧端子部は、前記導電板の中央が開口に挿通されることで、前記導電板が、２つの前記仕切部によって左右両側から挟み込まれるとともに、前記抑え部によって下方に抑えつけられることを特徴とする。
【符号の説明】
【００３４】
１  照明器具
１０  交流電源
１１  電源トランス
１２  スイッチ
１３，１４  整流器
１５  点灯用コンデンサー
１６  抵抗
１８  トリガートランス
１９  トリガー用コンデンサー
２０  スイッチ
２１，２２  分圧抵抗
３０，３０Ａ，３０Ｂ  高電圧電線
３１，３１Ａ，３１Ｂ  低電圧電線
３３，３４  端子孔
４０  端子台
５０  基台
５１  台座部
５２  仕切部
５３  抑え部
５４  開口
６０  高電圧端子部
６１  導電板
６２  螺旋孔
６３  螺旋
７０  低電圧端子部
７１  導電板
７２  螺旋孔
７３  螺旋
Ｐ  キセノンランプ
Ｓ３  点灯用コンデンサーを備える装置
Ｓ４  交流電源を備える装置
Ｓ５  電源トランスを備える装置
【図１】
2011070935.tif 000003
【図２】
2011070935.tif 000004
【図３】
2011070935.tif 000005
【図４】
2011070935.tif 000006
【図５】
2011070935.tif 000007
【図６】
2011070935.tif 000008
【図７】
2011070935.tif 000009